【事件の表示】
　特願２００３−３９１０４２「電子辞書装置および電子辞書装置の制御方法」拒絶査定不服審判事件〔平成１７年　６月１６日出願公開、特開２００５−１５７４７２〕について、次のとおり審決する。
【結　論】
　本件審判の請求は、成り立たない。
【理　由】
１．手続の経緯
　本願は、平成１５年１１月２０日の出願であって、平成２０年７月３１日付けで拒絶理由通知がなされ、同年１０月３日付けで手続補正がなされたが、同年１０月３１日付けで拒絶査定がなされ、これに対し、同年１２月１１日に拒絶査定不服審判の請求がなされるとともに、平成２１年１月１３日付けで手続補正がなされ、その後、当審において平成２３年７月７日付けで平成２１年１月１３日付けの手続補正が却下されるとともに同日付けで最後の拒絶理由通知がなされ、平成２３年９月９日付けで手続補正がなされたものである。
　
２．平成２３年９月９日付けの手続補正についての補正却下の決定
［補正却下の決定の結論］
　平成２３年９月９日付けの手続補正を却下する。
　
［理由］
（１）補正後の請求項１に係る発明
　平成２３年９月９日付けの手続補正（以下、「本件手続補正」という。）により、特許請求の範囲の請求項１は、
「少なくとも漢字を表示することができる表示手段と、
　中国語漢字の第１の見出し語と、該第１の見出し語の日本語読みと、部首読みと、部首画数と、総画数とを対応付けて記憶する漢字辞書記憶手段と、
　熟語を含む中国語の漢字表記およびピンインを含む第２の見出し語と、該第２の見出し語の意味とを対応付けて記憶する中日辞書記憶手段と、
　前記日本語読み、前記部首読み、前記部首画数、前記総画数の少なくとも１つを入力可能である第１入力手段と、
　前記第１入力手段により入力された日本語読み、部首読み、部首画数、総画数の少なくとも１つを含む漢字を、前記漢字辞書記憶手段から検索する第１検索手段と、
　前記第１検索手段により検索された漢字の入力を１つまたは複数入力可能である第２入力手段と、
　前記第２入力手段により入力された１つまたは複数の漢字を含む見出し語を、前記中日辞書記憶手段に記憶された前記第２の見出し語から検索する第２検索手段とを備え、
　
前記第１検索手段は、部首画数に基づいて漢字辞書記憶手段から漢字を検索する場合には、
　　
第１入力手段によって入力された部首画数の部首のみを選択可能に表示させ、その部首画数の部首以外の部首は表示させないようにし、
　　
選択可能に表示された部首のいずれか１つが選択されたときに、その部首を含む漢字を、漢字辞書記憶手段から検索し、
　前記表示手段は、第２検索手段により検索された１つまたは複数の見出し語を表示することを特徴とする電子辞書装置。」
に補正された。
　
　上記補正は、補正前の請求項１における「第１検索手段」について、「
部首画数に基づいて漢字辞書記憶手段から漢字を検索する場合には、第１入力手段によって入力された部首画数の部首のみを選択可能に表示させ、その部首画数の部首以外の部首は表示させないようにし、選択可能に表示された部首のいずれか１つが選択されたときに、その部首を含む漢字を、漢字辞書記憶手段から検索
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
（２−１）引用例１
　当審において平成２３年７月７日付けで通知した拒絶の理由に引用した「中国語入力システム　ｃＷｎｎ９８　Ｒ４．０　取扱説明書，日本，オムロンソフトウェア株式会社，１９９８年１０月，第１版，pp.4-3〜4-5，5-8〜5-9，5-24〜5-27，6-9」（以下、「引用例１」という。）には、図面とともに次の事項が記載されている。
　
Ａ．「日本語読み中国語変換
入力したい目的の中国語は分かっているが、中国語のピンインが分からない場合に、日本語の読みから目的の中国語を入力することができます。
例）中国語の「想」と入力してみます。
１．入力モードをローマ字入力あるいは、かな入力にします。
　　（ここではローマ字入力にします。）
　　（図面：略）
２．日本語読みで、「sou」とローマ字入力します。
　　（図面：略）
３．［Shift］＋［Space］を入力すると、日本語読み中国語候補一覧と、選択中（中国語の第２候補）の語にする簡易辞書引き内容を表示します。
　　（図面：略）
４．「想」にカーソルを移し、［確定］キーを入力して確定します。
このように、中国語のピンインが分からなくても、日本語の読みで中国語候補を表示することができます。」（第5-8頁）
　
Ｂ．「漢字を検索して入力する
ここでは、［部首入力］ツールを利用して、漢字を検索する方法を説明します。検索は以下の４つの方法で行うことができます。
■総画数で検索する
１．［入力ツール］の［部首入力］ツールを起動します。
　・・・（中略）・・・
　　（図面：略）
２．［総画数(
Ｋ
３．［検索(
Ｓ
４．［漢字一覧(
Ｌ
５．表示された一覧の中から、目的の漢字を選択します。
６．［確定(
Ｔ
７．選択した漢字がアプリケーション（カーソル位置）へ入力されます。
　　続けて検索、入力することができます。
８．［終了(
Ｅ
■部首名で検索する
１．［入力ツール］の［部首入力］ツールを起動します。
　・・・（中略）・・・
　　（図面：略）
２．［部首名(
Ｂ
部首名がわからないときは、［部首一覧(
Ｕ
　　（図面：略）
表示された［部首一覧(
Ｌ
一覧より部首を選択し、［ＯＫ］ボタンを押します。
［部首名(
Ｂ
３．［検索(
Ｓ
４．［漢字一覧(
Ｌ
５．目的の漢字を選択します。
６．［確定(
Ｔ
７．選択した漢字がアプリケーション（カーソル位置）へ入力されます。
　　続けて漢字を検索、入力することができます。
８．［終了(
Ｅ
　・・・（後略）・・・」（第5-24〜5-26頁）
　
Ｃ．「■中日辞書引き
ここでは、中日辞書引きを行いますので［中日(
Ｃ
１．cWnn98で、［検索文字列(
Ｎ
　参考　中日辞書を選択した場合は自動的に、cWnn98に切り替わり中国語を入力できる状態になります。
ここでは全ピン入力で「mao」と入力します。
２．［Enter］あるいは［辞書検索(
Ｓ
　・・・（中略）・・・
３．辞書引き結果が表示されます。また、選択した親字から始まる見出し語が表示されます。
　　（図面：略）」（第6-9頁）
　
　上記Ａ，Ｂの記載を参照すると、上記引用例１には、日本語読み（上記Ａ参照）、部首名（上記Ｂの「■部首名で検索する」の項参照）、総画数（上記Ｂの「■総画数で検索する」の項参照）の入力に基づいて、中国語漢字を検索して入力することが記載されている。
　また、「部首名」がわからないときに「部首名」を入力するにあたり、「部首の画数」を部首に対応付けた「［部首一覧(
Ｌ
　してみれば、これらの動作をさせるための前提の構成として、上記引用例１のものには、「中国語漢字の第１の見出し語と、該第１の見出し語の日本語読みと、部首名と、部首画数と、総画数とを対応付けて記憶する漢字辞書記憶手段」が存在するものと解される。
　そして、上記Ｂの第5-24頁、第5-25頁の省略した図面における「検索条件」画面には、「［部首名(
Ｂ
Ｋ
　次に、上記Ｃに記載されている「中日辞書引き」の動作であるが、上記Ｃの第6-9頁第5〜6行に、「中日辞書を選択した場合は自動的に、cWnn98に切り替わり中国語を入力できる状態になります。」と記載されているように、部首名や総画数の入力に基づいて中国語漢字を検索し、その検索した中国語漢字を上記Ｃの省略した図面における「［検索文字列(
Ｎ
　ここで、上記Ｃの記載においては、全ピン入力で「mao」と入力した例が示されているが、上記Ｃの第6-9頁第3〜4行には、「cWnn98で、［検索文字列(
N
列
　そして、上記Ｃの省略した図面には、「少なくとも漢字を表示することができる表示画面」が示され、「猫」という中国語漢字および「mao」というピンインを含む見出し語とその意味が表示される例が示されているが、「辞書」であるからには、当然、熟語の見出し語とその意味が表示されることもあると解されるので、上記引用例１のものには、「熟語を含む中国語の漢字表記およびピンインを含む第２の見出し語と、該第２の見出し語の意味とを対応付けて記憶する中日辞書記憶手段」が存在するものと解される。
　
　よって、上記Ａ〜Ｃの記載及び関連する図面を参照すると、引用例１には、実質的に、次の発明が記載されているものと認められる。（以下、「引用例１記載の発明」という。）
「少なくとも漢字を表示することができる表示画面と、
　中国語漢字の第１の見出し語と、該第１の見出し語の日本語読みと、部首名と、部首画数と、総画数とを対応付けて記憶する漢字辞書記憶手段と、
　熟語を含む中国語の漢字表記およびピンインを含む第２の見出し語と、該第２の見出し語の意味とを対応付けて記憶する中日辞書記憶手段と、
　前記部首名、前記総画数の少なくとも１つを入力可能である『検索条件』画面と、
　前記『検索条件』画面により入力された部首名、総画数の少なくとも１つを含む漢字を、前記漢字辞書記憶手段から検索する第１検索手段と、
　前記第１検索手段により検索された漢字の入力を１つまたは複数入力可能である［検索文字列(
Ｎ
　前記［検索文字列(
Ｎ
　前記表示画面は、第２検索手段により検索された１つまたは複数の見出し語を表示する中国語入力システム。」
　
（２−２）引用例２
　特開平５−１５１１９６号公報（以下、「引用例２」という。）には、図面とともに次の事項が記載されている。
　
Ｄ．「【０００１】
【産業上の利用分野】本発明は漢字部首入力装置に係り、とくにワープロやパソコン等で文字を入力する際の漢字部首入力装置に関する。」
　
Ｅ．「【００１３】
【発明の実施例】以下、本発明の一実施例を図１ないし図２に基づいて説明する。
【００１４】図１の実施例は、操作者が文字列を入力する入力機構１１と、部首毎に漢字コードが並べられている漢字テーブル１２と、部首名と漢字テーブル１２のアドレス情報を持つ部首名テーブル１３と、転送された「かな文字」に基づいて部首名テーブル１３を検索し漢字テーブル１２のアドレス情報を入手するとともに検出手段１５へアドレス情報を転送する部首名判断手段１４と、送られた漢字テーブル１２のアドレス情報に基づいて漢字テーブル１２から漢字コードを読み取るとともに表示機構１６へ送る検出手段１５と、送られた漢字コードを画面に表示する表示機構１６と、表示機構１６により画面に表示された複数の漢字の中から操作者により選択された漢字を確定する確定手段１７とを備えている。
【００１５】そして、入力機構１１から送られてきた文字列が「数字」であるか「かな文字」であるかを判別し「数字」であれば文字列を画数判断手段３へ送り「かな文字」であれば文字列を部首名判断手段１４へ送る部首判断手段１と、部首画数と漢字テーブル１２のアドレス情報を持つ部首画数テーブル２と、部首判断手段１から送られてきた「数字」に基づき部首画数テーブル２を検索し同一画数の部首を検出するとともに部首表示手段４へ転送する画数判断手段３と、転送された部首を画面に表示する部首表示手段４と、部首表示手段４により画面に表示された複数の部首の中から操作者により選択された部首を有する漢字の漢字テーブル１２におけるアドレス情報を入手するとともにそのアドレス情報を検出手段１５へ転送する選択手段５とが装備されている。
【００１６】次に、本実施例の動作について説明する。
【００１７】（１）部首を画数で入力する場合：
【００１８】○１（審決注：丸囲み数字を表記することがでないため、「○１」と表記する。以下、同様。）操作者により入力機構１１に入力された文字列は、入力機構１１から部首判断手段１へ送られる。
【００１９】○２部首判断手段１は、送られた文字列が「数字」であるか「かな文字」であるかを判断し、送られた文字列が「数字」のときはその文字列を画数判断手段３へ転送し、送られた文字列が「かな文字」のときはその文字列を部首名判断手段１４へ転送する。
【００２０】○３上記○２において、文字列が「数字」と判断されたときは、転送された「数字」に基づいて画数判断手段３は部首画数テーブル２を検索し、同一画数の部首を検出して部首表示手段４へ転送する。
【００２１】○４部首表示手段４は転送された部首を画面に表示する。
【００２２】○５画面に表示された部首の中から操作者により目的とする部首が選択されると、選択手段５は選択された部首に対応する漢字テーブル１２のアドレス情報を入手する。
【００２３】○６選択手段５は、入手したアドレス情報を検出手段１５へ転送する。
【００２４】○７検出手段１５は送られた漢字テーブル１２のアドレス情報に基づいて、漢字テーブル１２から漢字コードを読み取り、読み取った漢字コードを表示機構１６へ送る。
【００２５】○８表示機構１６は送られた漢字コードを画面に表示する。
【００２６】○９さらに検出手段１５は送られた漢字テーブル１２のアドレス情報により、漢字テーブル１２の漢字コードを順次検出し、表示機構１６へ送る。
【００２７】そして、表示機構１６により画面表示された複数の漢字の中から、操作者が目的とする漢字を選択すると、確定手段１７はその選択された漢字を確定する。」
　
Ｆ．「【００３７】さらに本実施例の操作方法について図２を用いて説明する。
【００３８】○１入力指示として部首入力が指示されると、かな文字または数字の入力画面が表示される。
　・・・（中略）・・・
【００４２】○５一方、上記○２において「数字」が入力されると、その数値を画数とする部首が表示される。例えば図２（ａ）に示されるように数値「２」が入力されると、図２（ｂ）に示されるように二画の部首が複数表示される。
【００４３】○６表示された部首の中に目的とする部首がない場合には次の画面を表示させ、該当する部首が表示されるまで繰り返す。該当する部首が表示されると部首を選択し、該当する部首の前に表示されている数字を入力する。例えば図２（ｂ）で「にんべん」を選択するときには数字「２」を入力する。
【００４４】○７数字入力により図２（ｃ）に示されるように選択された部首を持つ漢字が複数表示される。目的とする漢字が表示されていないときは次の画面を表示させ、目的とする漢字が表示されるまで繰り返す。目的とする漢字が表示されると、漢字を確定するために目的とする漢字の前に表示されている数字を入力する。例えば、図２（ｃ）において「但」という漢字が目的とする漢字であるならば数字「１」を入力する。
【００４５】○８この数字入力により漢字が確定され、図２（ｄ）に示されるように目的とする「但」という漢字が所定の位置に表示される。」
　
　上記Ｄ〜Ｆの記載及び関連する図面を参照すると、引用例２には、次の発明が記載されているものと認められる。（以下、「引用例２記載の発明」という。）
「漢字部首入力装置における検索手段において、
　部首画数に基づいて漢字テーブルから漢字を検索する場合には、　
　入力画面によって入力された部首画数の部首のみを選択可能に表示（図２（ｂ））させ、その部首画数の部首以外の部首は表示させないようにし、
　選択可能に表示された部首のいずれか１つが選択されたときに、その部首を含む漢字（図２（ｃ））を、漢字テーブルから検索すること。」
　
（３）対比
　本願補正発明と引用例１記載の発明とを対比すると、次のことがいえる。
　
（あ）引用例１記載の発明における「表示画面」、「部首名」は、それぞれ、本願補正発明における「表示画面」、「部首読み」に相当する。
　
（い）本願補正発明における「第１入力手段」によって入力可能である「日本語読み、部首読み、部首画数、総画数の少なくとも１つ」と、引用例１記載の発明における「『検索条件』画面」によって入力可能である「部首名、総画数の少なくとも１つ」は、ともに、「個別漢字に関する情報」であるということができる。
　よって、本願補正発明と引用例１記載の発明とは、ともに、「個別漢字に関する情報を入力可能である第１入力手段」を備える点において、共通するものである。
　
（う）同様に、本願補正発明における「第１検索手段」によって検索される漢字が含む「日本語読み、部首読み、部首画数、総画数の少なくとも１つ」と、引用例１記載の発明における「第１検索手段」によって検索される漢字が含む「部首名、総画数の少なくとも１つ」は、ともに、「個別漢字に関する情報」であるということができる。
　よって、本願補正発明と引用例１記載の発明とは、ともに、「第１入力手段により入力された個別漢字に関する情報を含む漢字を、漢字辞書記憶手段から検索する第１検索手段」を備える点において、共通するものである。
　
（え）引用例１記載の発明における「［検索文字列(
Ｎ
　
（お）引用例１記載の発明における「中国語入力システム」は、中日辞書引き動作を行うことができるものであり、「電子辞書装置」として機能するものであるということができる。
　
　上記（あ）〜（お）の事項を踏まえると、本願補正発明と引用例１記載の発明とは、次の点で一致し、また、相違するものと認められる。
　
（一致点）
　本願補正発明と引用例１記載の発明とは、ともに、
「少なくとも漢字を表示することができる表示手段と、
　中国語漢字の第１の見出し語と、該第１の見出し語の日本語読みと、部首読みと、部首画数と、総画数とを対応付けて記憶する漢字辞書記憶手段と、
　熟語を含む中国語の漢字表記およびピンインを含む第２の見出し語と、該第２の見出し語の意味とを対応付けて記憶する中日辞書記憶手段と、
　個別漢字に関する情報を入力可能である第１入力手段と、
　前記第第１入力手段により入力された個別漢字に関する情報を含む漢字を、漢字辞書記憶手段から検索する第１検索手段と、
　前記第１検索手段により検索された漢字の入力を１つまたは複数入力可能である第２入力手段と、
　前記第２入力手段により入力された１つまたは複数の漢字を含む見出し語を、前記中日辞書記憶手段に記憶された前記第２の見出し語から検索する第２検索手段とを備え、
　前記表示手段は、第２検索手段により検索された１つまたは複数の見出し語を表示する電子辞書装置。」
である点。
　
（相違点）
　相違点１：「第１入力手段」によって入力可能であるとともに「第１検索手段」によって検索される漢字が含む「個別漢字に関する情報」が、本願補正発明においては、「日本語読み、部首読み、部首画数、総画数の少なくとも１つ」であるのに対し、引用例１記載の発明においては、「部首名（本願補正発明における『部首読み』に相当するもの）、総画数の少なくとも１つ」である点。
　
　相違点２：「第１検索手段」が、本願補正発明においては、「部首画数に基づいて漢字辞書記憶手段から漢字を検索する場合には、第１入力手段によって入力された部首画数の部首のみを選択可能に表示させ、その部首画数の部首以外の部首は表示させないようにし、選択可能に表示された部首のいずれか１つが選択されたときに、その部首を含む漢字を、漢字辞書記憶手段から検索」するようなものとなっているのに対し、引用例１記載の発明においては、そのようなものとはなっていない点。
　
（４）判断
　そこで、上記相違点１，２について検討する。
　
（相違点１について）
　引用例１のものにおいて、第5-24頁、第5-25頁の図面における「検索条件」画面には、「［部首名(
Ｂ
Ｋ
　ここで、一つの表示画面上に同時に設けるスペースがあるのならば、できるだけ多くの選択肢の入力欄を設けた方が利便性が増すことは、当業者にとって明らかであるから、引用例１記載の発明において、「『検索条件』画面」で、「［部首名(
Ｂ
　また、上記引用例１のものにおいては、「部首の画数」に基づく検索は、「部首の画数」を部首に対応付けた「部首一覧」（第5-26頁）を目視して、例えば、「４画」のものならば、「４画」の下部にある部首から探すようになっているが、上述したように、一つの表示画面上に同時に設けるスペースがあるのならば、できるだけ多くの選択肢の入力欄を設けた方が利便性が増すことは、当業者にとって明らかであるから、引用例１記載の発明において、「『検索条件』画面」で、「［総画数(
Ｋ
　よって、引用例１記載の発明において、「第１入力手段」によって入力可能であるとともに「第１検索手段」によって検索される漢字が含む「個別漢字に関する情報」を、「日本語読み、部首読み、部首画数、総画数の少なくとも１つ」とすることは、当業者が適宜に設計できる事項にすぎない。
　
（相違点２について）
　上記引用例２記載の発明に見られるように、「漢字部首入力装置における検索手段において、部首画数に基づいて漢字テーブル（『漢字辞書記憶手段』に相当するもの）から漢字を検索する場合には、入力画面（『第１入力手段』に相当するもの）によって入力された部首画数の部首のみを選択可能に表示させ、その部首画数の部首以外の部首は表示させないようにし、選択可能に表示された部首のいずれか１つが選択されたときに、その部首を含む漢字を、漢字テーブルから検索すること」は、公知の技術にすぎない。
　ここで、上記引用例２記載の発明における「漢字」は、「日本語漢字」であると解されるが、「日本語漢字」も「中国語漢字」も、同じ「漢字」であることには変わりなく、しかも、「部首画数」から「漢字」を検索する技術は、「日本語漢字」であろうと「中国語漢字」であろうと、共通の技術であるから、上記引用例２記載の発明に見られる技術を引用例１記載の発明に対して適用できない理由はない。
　してみれば、引用例１記載の発明に対して上記引用例２記載の発明に見られる技術を適用することにより、「第１検索手段」を、「部首画数に基づいて漢字辞書記憶手段から漢字を検索する場合には、第１入力手段によって入力された部首画数の部首のみを選択可能に表示させ、その部首画数の部首以外の部首は表示させないようにし、選択可能に表示された部首のいずれか１つが選択されたときに、その部首を含む漢字を、漢字辞書記憶手段から検索」するようなものとすることは、当業者が容易に想到し得ることである。
　
（本願補正発明の作用効果について）
　そして、本願補正発明の構成によってもたらされる効果も、引用例１，２に記載の発明から当業者が容易に予測することができる程度のものであって、格別のものとはいえない。
　
　したがって、本願補正発明は、引用例１，２に記載の発明に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２３年９月９日付けの手続補正は、上記のとおり却下されたので、本願の請求項１に係る発明は、平成２０年１０月３日付け手続補正書の特許請求の範囲の請求項１に記載されたとおりの次のものと認める。（以下、「本願発明」という。）
「少なくとも漢字を表示することができる表示手段と、
　中国語漢字の第１の見出し語と、該第１の見出し語の日本語読みと、部首読みと、部首画数と、総画数とを対応付けて記憶する漢字辞書記憶手段と、
　熟語を含む中国語の漢字表記およびピンインを含む第２の見出し語と、該第２の見出し語の意味とを対応付けて記憶する中日辞書記憶手段と、
　前記日本語読み、前記部首読み、前記部首画数、前記総画数の少なくとも１つを入力可能である第１入力手段と、
　前記第１入力手段により入力された日本語読み、部首読み、部首画数、総画数の少なくとも１つを含む漢字を、前記漢字辞書記憶手段から検索する第１検索手段と、
　前記第１検索手段により検索された漢字の入力を１つまたは複数入力可能である第２入力手段と、
　前記第２入力手段により入力された１つまたは複数の漢字を含む見出し語を、前記中日辞書記憶手段に記憶された前記第２の見出し語から検索する第２検索手段とを備え、
　前記表示手段は、第２検索手段により検索された１つまたは複数の見出し語を表示することを特徴とする電子辞書装置。」
　
（２）引用例
　これに対して、当審において平成２３年７月７日付けで通知した拒絶の理由に引用した引用例１とその記載事項は、上記２．（２）（２−１）に記載したとおりである。
　また、引用例２とその記載事項は、上記２．（２）（２−２）に記載したとおりである。
　
（３）対比・判断
　本願発明は、上記２．で検討した本願補正発明における「第１検索手段」について、「
部首画数に基づいて漢字辞書記憶手段から漢字を検索する場合には、第１入力手段によって入力された部首画数の部首のみを選択可能に表示させ、その部首画数の部首以外の部首は表示させないようにし、選択可能に表示された部首のいずれか１つが選択されたときに、その部首を含む漢字を、漢字辞書記憶手段から検索
　そうすると、本願発明の構成要件を全て含み、さらに特定の限定を施したものに相当する本願補正発明が、上記２．（４）に記載したとおり、引用例１，２に記載の発明に基いて、当業者が容易に発明をすることができたものであるから、本願発明は、上記「第１検索手段」に係る特定の限定に関して引用した引用例２の記載を参酌するまでもなく、引用例１記載の発明に基いて、当業者が容易に発明をすることができたものである。
　
（４）むすび
　以上のとおり、本願発明は、引用例１記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。